(57)【要約】【課題】記録媒体に記録されたデータを再生するデータ再生装置において、記録媒体に記録された複数種類のデータの中から再生可能なデータの種類を選択可能にする。【解決手段】データ再生装置１では、ディスク（記録媒体）がセットされると、ディスクに記録されているデータの種類（例えば、音楽データ、ＡＶ機器形式データ等）がサーチされ、ディスクに記録されている全てのデータの種類が表示部３に表示される。表示部３に表示されたデータの種類の中から、操作部４の操作により、再生するデータの種類が選択されると、その選択された種類のデータが再生される。【選択図】図１
2005167462.tif 000002
【特許請求の範囲】
【請求項１】
記録媒体に記録されたデータを再生するデータ再生装置において、
前記記録媒体に複数種類のデータが記録されている場合、当該記録媒体に記録されたデータの種類を表示する表示部と、
前記表示部に表示されたデータの種類の中から、再生するデータの種類を選択する操作部と、
前記操作部により選択された種類のデータを再生する再生部と、
を備えることを特徴とするデータ再生装置。
【請求項２】
記録媒体に記録されたデータを再生するデータ再生装置において、
前記記録媒体に複数種類のデータが記録されている場合、データ再生装置の出力端子に接続されている機器を認識する認識手段と、
前記記録媒体に記録されたデータの中から、前記認識手段により認識された機器で再生可能なデータの種類を抽出する抽出手段と、
前記抽出手段により抽出された種類のデータを再生する再生部と、
を備えることを特徴とするデータ再生装置。
【請求項３】
前記記録媒体にデータを記録する記録部を備えることを特徴とする請求項１又は２に記載のデータ再生装置。
【請求項４】
携帯用の機器であることを特徴とする請求項１〜３の何れか一項に記載のデータ再生装置。
【請求項５】
コンピュータに、
記録媒体に記録されたデータの種類を表示する機能と、
前記表示されたデータの種類の中から、再生するデータの種類を選択させる機能と、
前記選択された種類のデータを再生する機能と、
を実現させるためのプログラム。
【請求項６】
コンピュータに、
記録媒体に記録されたデータを再生するデータ再生装置の出力端子に接続されている機器を認識する機能と、
前記記録媒体に記録されたデータの中から、前記認識された機器で再生可能なデータの種類を抽出する機能と、
前記抽出された種類のデータを再生する機能と、
を実現させるためのプログラム。
【請求項７】
前記記録媒体にデータを記録する機能を実現させることを特徴とする請求項５又は６に記載のプログラム。
【発明の詳細な説明】
【技術分野】
【０００１】
本発明は、記録媒体に記録されたデータを再生するデータ再生装置及びプログラムに関する。
【背景技術】
【０００２】
近年、フィルムカメラ、デジタルカメラで撮影された写真画像のデータをＣＤ−Ｒ（Compact Disc-Recordable）、ＤＶＤ−Ｒ（Digital Versatile Disk Recordable）等の記録媒体に書き込んで電子アルバムを作成するサービスが行われるようになっている。作成される記録媒体には、ＰＣ（Personal Computer）等のコンピュータ機器に特定の機能を実現させるプログラムが記録されているものがある。特定の機能としては、画像編集・加工機能や、サウンドファイルを用いてＢＧＭ付きで画像データをスライドショーとして再生する機能等がある（例えば、特許文献１参照。）。
【特許文献１】特開２００３−３０４４７９号公報
【発明の開示】
【発明が解決しようとする課題】
【０００３】
しかしながら、上述のサービスは画像データをＰＣで再生することを前提としているため、ユーザは、ＰＣの操作にある程度習熟している必要がある。そのため、ＰＣ操作に不慣れなユーザは、画像データが記録された記録媒体を受け取っても簡単に写真画像を閲覧することができず、サービスの利用促進の妨げとなっていた。
【０００４】
一方、近年、ＤＶＤプレーヤーのようなＡＶ（Audio-Visual）機器が普及しており、これらのＡＶ機器は、ＰＣ操作に不慣れなユーザでも、簡単な操作で画像や音声を再生することができる。しかしながら、これらのＡＶ機器は、記録媒体に複数種類のデータ（例えば、音楽データと映像データ）が混在して記録された記録媒体の再生を想定しておらず、機器毎に優先されたデータを再生するのみであった。従って、複数種類のデータが記録されている記録媒体を再生する場合、機器に対応した一種類のデータ（例えば、音楽データ）しか再生できず、利便性に欠けるという問題があった。
【０００５】
本発明の課題は、記録媒体に記録されたデータを再生するデータ再生装置において、記録媒体に記録された複数種類のデータの中から再生可能なデータの種類を選択可能にすることである。
【課題を解決するための手段】
【０００６】
上記課題を解決するため、請求項１に記載の発明は、記録媒体に記録されたデータを再生するデータ再生装置において、前記記録媒体に複数種類のデータが記録されている場合、当該記録媒体に記録されたデータの種類を表示する表示部と、前記表示部に表示されたデータの種類の中から、再生するデータの種類を選択する操作部と、前記操作部により選択された種類のデータを再生する再生部と、を備えることを特徴としている。
【０００７】
請求項２に記載の発明は、記録媒体に記録されたデータを再生するデータ再生装置において、前記記録媒体に複数種類のデータが記録されている場合、データ再生装置の出力端子に接続されている機器を認識する認識手段と、前記記録媒体に記録されたデータの中から、前記認識手段により認識された機器で再生可能なデータの種類を抽出する抽出手段と、前記抽出手段により抽出された種類のデータを再生する再生部と、を備えることを特徴としている。
【０００８】
請求項３に記載の発明は、請求項１又は２に記載のデータ再生装置において、前記記録媒体にデータを記録する記録部を備えることを特徴としている。
【０００９】
請求項４に記載の発明は、請求項１〜３の何れか一項に記載のデータ再生装置において、携帯用の機器であることを特徴としている。
【００１０】
請求項５に記載の発明は、データ再生装置に内蔵されたコンピュータに、記録媒体に記録されたデータの種類を表示する機能と、前記表示されたデータの種類の中から、再生するデータの種類を選択させる機能と、前記選択された種類のデータを再生する機能と、を実現させるためのプログラムである。
【００１１】
ここで、コンピュータとは、バスで接続されたＣＰＵ（Central Processing Unit）、ＲＯＭ（Read Only Memory）、ＲＡＭ（Random Access Memory）及びＩ／Ｏを基本構成とする装置であって、マイクロコンピュータ、マイクロプロセッサ等を含み、その組み込み先装置の如何（例えば、ＰＣ、デジタルカメラ、ＤＶＤプレーヤー、ＨＤＤ（Hard Disk Drive）レコーダ、ホームサーバ、ゲーム機等）を問わない。従って、本発明に係るプログラムは、上記コンピュータのＲＯＭに格納され、ＣＰＵの統括下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１２】
請求項６に記載の発明は、データ再生装置に内蔵されたコンピュータに、記録媒体に記録されたデータを再生するデータ再生装置の出力端子に接続されている機器を認識する機能と、前記記録媒体に記録されたデータの中から、前記認識された機器で再生可能なデータの種類を抽出する機能と、前記抽出された種類のデータを再生する機能と、を実現させるためのプログラムである。
【００１３】
請求項７に記載の発明は、請求項５又は６に記載のプログラムにおいて、前記記録媒体にデータを記録する機能を実現させることを特徴としている。
【発明の効果】
【００１４】
本発明によれば、記録媒体に複数種類のデータ（例えば、音楽データと映像データ）が記録されている場合、再生するデータの種類を選択可能にしたことにより、データ再生装置の利便性を向上させることができる。
【００１５】
また、出力端子に接続されている機器を認識し、記録媒体に記録されたデータの中から、認識された機器で再生可能なデータの種類を自動的に抽出するようにしたことにより、データ再生装置の利便性を向上させることができる。
【００１６】
特に、データ再生装置が携帯用の機器である場合、データ再生装置を出先に設置された機器に接続することができ、ユーザは、出先で気軽に映像、音楽を鑑賞することができる。
【発明を実施するための最良の形態】
【００１７】
以下、図面を参照して、本発明の実施形態について詳細に説明する。
まず、本実施形態における構成について説明する。
【００１８】
図１に、本発明の実施形態に係るデータ再生装置１の外観図を示す。データ再生装置１は、ＣＤ−Ｒ、ＤＶＤ−Ｒ、ブルーレイDisc等のディスク（記録媒体）に記録されたデータを再生可能な携帯用機器（ポータブル機器）であり、図１に示すように、表示部３、操作部４、オーディオ出力端子５１、ＡＶ出力端子６１が設けられている。
【００１９】
オーディオ出力端子５１は、音声を出力するヘッドホン（イヤホン）を接続するための端子であり、ＡＶ出力端子６１は、映像及び音声を再生可能なＡＶ機器を接続するための端子である。データ再生装置１では、例えば、ＡＶ機器形式データが内側に記録され、音楽データが外側に記録されたディスクを再生することが可能である。
【００２０】
ここで、本実施形態において扱われる音楽データとして、ＡｕｄｉｏＣＤ形式、ＤＶＤ Ａｕｄｉｏ形式、ＷＡＶ形式、ＭＰ３（MPEG1 Audio Layer-3）形式、ＷＭＡ（Windows （登録商標）Media Audio）形式等のデータがある。また、ＡＶ機器形式データとして、Ｖｉｄｅｏ−ＣＤ形式、ＤＶＤ−Ｖｉｄｅｏ形式、ＨＤＴＶ（High Definition TeleVision）形式等のデータがある。
【００２１】
図２に、データ再生装置１の主要部構成を示す。データ再生装置１は、図２に示すように、ＣＰＵ（Central Processing Unit）２、表示部３、操作部４、オーディオ接続部５、ＡＶ機器接続部６、ＲＯＭ（Read Only Memory）７、ＲＡＭ（Random Access Memory）８、ＣＤドライブ９、電源部１０により構成される。
【００２２】
ＣＰＵ２は、ＲＯＭ７に格納された各種制御プログラムを読み出してＲＡＭ８に展開し、それらの制御プログラムに従ってデータ再生装置１の各部を制御する。
【００２３】
例えば、再生するデータの種類の指定を手動で行うように設定されている場合、ＣＰＵ２は、ディスクがＣＤドライブ９の装填部にセットされると、ディスクに記録されたデータの種類をサーチし、表示部３に対し、ディスクに記録されている全てのデータの種類の表示を指示する。また、操作部４の操作により、再生するデータの種類が選択されると、ＣＤドライブ９に対し、その選択された種類のデータの再生を指示する。
【００２４】
一方、再生するデータの種類の指定を自動で行うように設定されている場合、ディスクがＣＤドライブ９の装填部にセットされると、ディスクに記録されたデータの種類をサーチし、出力端子に接続されている機器を認識し、ディスクに記録されたデータの中から、認識された機器で再生可能なデータの種類を抽出する。そして、ＣＰＵ２は、ＣＤドライブ９に対し、その抽出された種類のデータの再生を指示する。
【００２５】
表示部３は、ＬＣＤ（Liquid Crystal Display）等の表示画面を備え、ＣＰＵ２から入力される表示信号に従って所要の表示処理を行う。
【００２６】
操作部４は、再生ボタン、停止ボタン、再生するデータの種類を指定するためのボタン等の各種ボタンを備え、ボタンの押下操作による操作信号をＣＰＵ２に出力する。これらのボタンを、データ再生装置１に付属のリモートコントロール（図示略）に備えるようにしてもよい。
【００２７】
オーディオ接続部５は、オーディオ出力端子５１を備え、オーディオ出力端子５１を介して接続されたヘッドホン（イヤホン）に、ディスクから読み取られた音楽データを出力する。
【００２８】
ＡＶ機器接続部６は、ＡＶ出力端子６１を備え、ＡＶ出力端子６１を介して接続されたＡＶ機器に、ディスクから読み取られたＡＶ機器形式データを出力する。
【００２９】
ＲＯＭ７は、ＣＰＵ２で実行される各種制御プログラム、これらのプログラムで使用されるデータを格納する。
【００３０】
ＲＡＭ８は、ＣＰＵ２により実行される各種制御プログラム、各種アプリケーションプログラムをプログラム格納エリアに展開する。また、ＲＡＭ８は、入力データ及び上記の制御プログラムの実行時に生じる処理結果等のデータをワークエリアに一時的に格納する。
【００３１】
ＣＤドライブ９は、ＣＤ、ＣＤ−Ｒ、ＤＶＤ、ＤＶＤ−Ｒ等の記録媒体に記録されたデータの読み取り（再生）を行ったり、記録媒体へのデータの書き込み（記録）を行ったりする装置であり、記録媒体を装填するための装填部、記録媒体を回転させるためのモータや、記録媒体の表面で読み書きを行うためのヘッド等を備える。
【００３２】
電源部１０は、電池等により構成され、データ再生装置１を構成する各部に電力を供給する。
【００３３】
なお、本実施形他のデータ再生装置１には、オーディオ出力端子５１とＡＶ出力端子６１が別々に設けられているが、オーディオ出力端子及びＡＶ出力端子を一つの出力端子で共有するようにしてもよい。
【００３４】
次に、本実施形態における動作について説明する。
図３のフローチャートを参照して、データ再生装置１において実行されるディスク再生処理Ａについて説明する。ディスク再生処理Ａは、再生するデータの種類の指定を手動で行うように設定されている場合の処理である。
【００３５】
ＣＤドライブの装填部にディスクがセットされると（ステップＳ１）、ディスクに記録されたデータの種類がサーチされ（ステップＳ２）、ディスクに記録されている全てのデータの種類が表示部３に表示される（ステップＳ３）。
【００３６】
表示部３に表示されたデータの種類の中から、操作部４の操作により、再生するデータの種類が選択されると（ステップＳ４）、その選択された種類のデータがディスクから読み取られ、その読み取られたデータの再生が開始される（ステップＳ５、Ｓ６）。
【００３７】
選択されたデータの種類が音楽データである場合（ステップＳ４；音楽データ）、ディスクから音楽データが読み取られ、読み取られた音楽データがオーディオ出力端子５１を介してヘッドホンに出力される（ステップＳ５）。選択されたデータの種類がＡＶ機器形式データである場合（ステップＳ４；ＡＶ機器形式データ）、ディスクからＡＶ機器形式データが読み取られ、読み取られたデータがＡＶ出力端子６１を介してＡＶ機器に出力される（ステップＳ６）。
【００３８】
なお、ステップＳ４において選択されたデータの種類に対応する出力端子に、該当する機器が接続されていない場合は、表示部３に、該当する機器の接続を促すメッセージを表示し、該当する機器が接続されたら、選択された種類のデータの再生を開始する。
【００３９】
次に、図４のフローチャートを参照して、データ再生装置１において実行されるディスク再生処理Ｂについて説明する。ディスク再生処理Ｂは、再生するデータの種類の指定を自動で行うように設定されている場合の処理である。
【００４０】
ＣＤドライブの装填部にディスクがセットされると（ステップＳ１１）、ディスクに記録されたデータの種類がサーチされる（ステップＳ１２）。
【００４１】
次いで、出力端子に接続されている機器が認識され（ステップＳ１３）、ディスクに記録されたデータの中から、ステップＳ１３で認識された機器で再生可能なデータの種類が抽出される（ステップＳ１４）。
【００４２】
次いで、ステップＳ１４で抽出された種類のデータがディスクから読み取られ、その読み取られたデータの再生が開始される（ステップＳ１５）。
【００４３】
なお、オーディオ出力端子５１及びＡＶ出力端子６１の何れにも対応する機器（ヘッドホン、ＡＶ機器）が接続されていない場合、表示部３に、再生する機器の接続を促すメッセージを表示し、該当する機器が接続されたら、その機器を認識し、ステップＳ１４及びＳ１５の処理を行うようにする。また、オーディオ出力端子５１及びＡＶ出力端子６１の双方が接続されている場合は、デフォルトで設定された種類のデータを再生するか、図３に示したように、データの種類を手動で選択するように切り換えるようにする。
【００４４】
以上のように、本実施形態のデータ再生装置１によれば、ディスクに複数種類のデータ（例えば、音楽データとＡＶ機器形式データ）が記録されている場合、再生するデータを選択可能にしたことにより、データ再生装置１の利便性を向上させることができる。
【００４５】
また、出力端子に接続されている機器を認識し、ディスクに記録されたデータの中から、認識された機器で再生可能なデータの種類を自動的に抽出するようにしたことにより、データ再生装置１の利便性を一層向上させることができる。
【００４６】
特に、データ再生装置１は、携帯用機器であるため、データ再生装置１を出先のＡＶ機器に接続することができ、ユーザは、出先で気軽に映像、音楽を鑑賞することができる。
【００４７】
なお、本実施形態における記述内容は、本発明の趣旨を逸脱しない範囲で適宜変更可能である。
【図面の簡単な説明】
【００４８】
【図１】本発明の実施形態に係るデータ再生装置の外観図。
【図２】本実施形態のデータ再生装置の主要部構成を示すブロック図。
【図３】本実施形態のデータ再生装置において実行されるディスク再生処理Ａを示すフローチャート。
【図４】本実施形態のデータ再生装置において実行されるディスク再生処理Ｂを示すフローチャート。
【符号の説明】
【００４９】
１    データ再生装置
２    ＣＰＵ
３    表示部
４    操作部
５    オーディオ接続部
６    ＡＶ機器接続部
７    ＲＯＭ
８    ＲＡＭ
９    ＣＤドライブ（再生部、記録部）
１０  電源部
【図１】
2005167462.tif 000003
【図２】
2005167462.tif 000004
【図３】
2005167462.tif 000005
【図４】
2005167462.tif 000006